【事件の表示】
　平成　８年特許願第　６４９０１号「医用データ管理システム」拒絶査定不服審判事件〔平成　９年１０月　３日出願公開、特開平　９−２５９０２７〕について、次のとおり審決する。
【結　論】
　本件審判の請求は、成り立たない。
【理　由】
１．手続の経緯
　本願は、平成８年３月２１日の出願であって、平成１７年１月５日付で拒絶査定がなされ（発送日平成１７年１月１１日）、これに対し、平成１７年２月２日に拒絶査定不服審判の請求がなされたものである。
　
２．本願発明
　本願の請求項１に係る発明（以下、「本願発明」という。）は、平成１６年７月２７日提出の手続補正書により補正された特許請求の範囲の請求項１に記載された事項により特定される、以下のとおりのものである。
　 
　「第１の医用画像を表わす所定の第１のデータ形式の第１の画像データを格納する第一のデータ格納手段と、
　前記第１の医用画像の中から選択された第２の医用画像を表わす所定の第２のデータ形式の第２の画像データと、前記第２の医用画像に関連する情報が記録ないし録音された所見データとを含むレポート情報を格納する第二のデータ格納手段と、
　前記第１の画像データと、前記レポート情報とを相互に関連づけて管理するデータ管理手段を備えたことを特徴とする医用データ管理システム。」
　
３．引用刊行物記載の発明
（３−１）引用例１発明
　これに対して、原査定の拒絶の理由に引用された、本願の出願の日前である平成５年１２月７日に頒布された特開平５−３２４７８５号公報（以下「引用例１」という。）には、図面とともに、以下の（ア）〜（ウ）の事項が記載されている。
　
（ア）
「【０００１】
【産業上の利用分野】この発明は、病院での診断において発生する画像情報及び診断情報などを保管及び伝送する医用情報システムに関する。
【０００２】
【従来の技術】近年、医用情報装置の発達は著しく向上し、医用画像装置、例えばＸ線装置、Ｘ線ＣＴ装置、超音波診断装置、磁気共鳴装置等の種々の医用画像装置が病院等において使用されている。これら医用画像装置により発生した画像は保管され、必要に応じて診断に供される。
【０００３】従来の病院の医用情報システムにおいては、外来患者が医師の診断を受け、必要な部位の撮影を指示され、検査依頼書が発行されると、患者はこの検査依頼書を持参して撮影部署にて撮影を受ける。このとき、患者の画像が写し込まれたフイルムが発生するが、このフイルムは保管庫に一旦保管される。その後、読影のため、即ちフイルムの画像を見て診断するためにフイルムが必要になると、診断に該当する患者のフイルムが保管庫から出される。読影により所見が作成され、所見書とともにフイルムは再び保管される。
【０００４】
【発明が解決しようとする課題】上記従来の医用情報システムであると、フイルムを用いているためにフイルムの整理保管作業が大変であり、過去の画像と最近の画像との比較診断にフイルムの検索作業が敏速に行えない等の問題がある。また、フイルムと所見を記述したカルテとが別になっているので、両者の対応付けに注意を要する。
【０００５】従って、この発明の目的は、各患者に関する種々の情報、例えばＩＤ情報、画像情報及び診断情報等を総括的に保管し、同情報を任意に取り出しできる医用情報システムを提供することにある。
【０００６】
【課題を解決するための手段】この発明によると、各患者の画像を電子化し、画像情報として保存する記憶手段と、検査ＩＤの入力により患者の過去の画像情報を読み出す手段と、患者ＩＤの入力により患者画像情報及び所見情報を読み出す手段と、時間的にずれた画像を比較するために過去の画像情報を含む複数の画像情報を表示する手段とを有する医用情報システムが提供される。
【０００７】この発明によると、各患者の画像を電子化し、画像情報として保存するデータベース手段と、端末局としてのワークステーション手段と、検査ＩＤを入力する手段と、入力された検査ＩＤに対応する画像情報をデータベース手段からワークステーション手段に転送する手段とを有する医用情報システムが提供される。
【０００８】この発明によると、各患者の画像情報を電子化して保存する記憶手段と、各患者の画像情報とこの画像情報に関する情報とを関連付けてこれら情報を前記記憶手段に保存する手段とを含む医用情報システムが提供される。」
　
（イ）
「【００１１】
【実施例】図１を参照して、病院における医用情報管理システムの概略を説明する。
【００１２】総合病院においては、外来患者はまず総合受付にて診断の申し込み、症状により内科、外科等の依頼科に行く。この依頼科において、医師から所定患部の撮影の指示を受け、所定の書類、即ち依頼書を受ける。この依頼書には患者ＩＤ、依頼科、部位、検査ＩＤ、撮影方法、モダリティ名等が記載できるようになっている。患者はこの依頼書を持参して検査科の受付に行き、依頼書を提出する。依頼科で検査ＩＤが発行されると、検査ＩＤが検査依頼書に張り付けられる。依頼科で検査ＩＤが発行されないと、検査科は、依頼書に記載された情報、例えば患者ＩＤ、依頼科、部位、検査ＩＤ、撮影方法及びモダリティ名をコンピュータに入力し、所定の患部の撮影、例えばＸ線撮影、Ｘ線ＣＴ撮影、超音波撮影，ＭＲＩ撮影等の撮影を行なう。この検査科での撮影により得られた画像はデータベースに送られ、保管される。尚、撮影画像がフイルムに写し込まれている場合には、フイルムの画像が電気的画像情報に変換されてからデータベースに記憶される。検査依頼書は読影ワークステーションに送られる。ここで、撮影準備のために、依頼書の検査ＩＤを入力し、この検査ＩＤをもとに、その検査の画像及びその患者の過去の画像をデータバンクから転送する。医師が読影を行うときは、検査ＩＤを入力し、対応する画像情報がワークステーション内のメモリから読み出され、画像として表示される。医師は、画像を見てレポートを作成する。例えば、音声によりボイスレポートを作成する。このボイスレポートは、トランスクライバによりタイプされる。タイプされた情報はデータベースに転送され、保管されるとともに検査依頼書にプリントされる。
【００１３】上記のようにして検査ＩＤ、画像及び所見がデータベースに保存される。このデータベースに保存された情報は依頼科の要求に応じて依頼科に送られる。即ち、依頼科がカルテに記載された検査ＩＤを入力すると、データベースから対応する患者の画像情報及びレポート情報が送られる。これら情報及び他の検査情報（血液検査など）を参考にして依頼科の医師は患者の病気を診断する。
【００１４】上述した医用情報管理システムのハード構成の概略が図２に示されている。図２によると、依頼書の情報、即ち患者ＩＤ、依頼科、部位、検査ＩＤ、撮影方法及びモダリティ名はモダリティ１１によりオンライン入力される。フイルムの画像はデジタイザ１２によりデジタル化され、デジタル画像情報はデータベース１３に転送される。ワークステーション１４は読影準備機能、ルーチン読影機能および依頼科参照機能を有する。読影準備機能は検査ＩＤが入力されると、読影に使用する画像情報をデータベース１３からワークステーション１４に事前に転送する機能である。ルーチン読影機能は検査ＩＤが入力されると、未読影画像と過去の画像、例えば２検査分の画像を比較しやすいように表示し、また、必要に応じて画像処理を行い、過去の読影レポートおよび検査歴を表示する。過去の情報については、過去５年間の全ての画像をアクセスできる。依頼科参照機能は患者ＩＤが入力されると、その患者の画像、レポート及び検査歴を表示する。
【００１５】レポート入力装置１５は撮影レポートを検査ＩＤと対応ずけて入力できるとともに同時に入力結果をプリントできる。」
　
（ウ）
「【００２３】次に、上記構成要素の個々の機能を図５乃至図９のフローチャートを参照して説明する。
【００２４】モダリティ１１
検査技師が検査開始前に検査を行なう患者の患者ＩＤ、検査ＩＤ、依頼科名を依頼書を見てモダリティに入力する。モダリティは検査日、モダリティ名を付加し、各検査の付帯情報とする。検査画像１〜ｎが採取されると、モダリティは画像毎に画像ＩＤを発行する。検査が終了すると、検査技師は検査終了コマンドを入力する。検査終了コマンドが入力されると、その検査の付帯情報と、その検査により採取された全画像とそれぞれの画像ＩＤとを組み合わせたデータをデータベース１３に転送する。尚、依頼書がデジタル化されている場合には、検査ＩＤが入力されることにより必要な情報が検査リストから選択される。（図５）。
【００２５】デジタイザ１２
オフラインモダリティによって検査が終了すると、フイルムと検査依頼書が存在する。そこで、先ず、デジタイザのそばに設置された仕切りカード棚に番号順に納められた仕切りカードの中から空いてる仕切りカードが取り出される。次に、デジタイザに仕切りカードの仕切りカード番号がバーコードリーダによって読み取られる。それから検査依頼書を見て患者ＩＤ、検査ＩＤ、部位、モダリティ名、依頼科の入力される。このとき、ＩＤはバーコードリーダによって読み取られ、他の情報はキーボードにより入力される。入力が終わると、仕切りカードが入っていた棚に検査依頼書が入れられる。
【００２６】次に、仕切りカードがフイルムの先頭に付けられ、フイルムが仕切りカードとともにデジタイザにセットされる。デジタイザはセットされた仕切りカードとフイルムを順番を乱すことなく１枚ずつ自動現像機と同じ速さを読み取る。即ち、仕切りカードのバーコードが先ず読み取られ、それからフイルムの画像が順次読み取られる。従って、読み取り画像データは仕切りカード番号情報に対応させられる。このとき、デジタイザは画像データの一枚一枚を特定できるように各画像データ毎に画像ＩＤを発行する。挿入されたフイルムが全てデジタイズされると、取り込み側オートフイーダが作動され、次の検査フイルムがデジタイザに取り込まれる。また、最後のフイルムがデジタイズされ、送り出されると、取り出し側のオートフイーダが作動される。一連の画像データの読み込みが終了すると、画像データと既に入力されている情報とが仕切りカード番号を用いて対応される。このとき、デジタイザは検査日を発行し、対応付けられた画像データに検査日を付加し、１検査分のデータを作成する。この１検査分のデータはデータベース１３へ送信される。
【００２７】上記のようにしてデジタイズが終了した検査フイルムは対応する仕切りカード番号の棚に収納される。
【００２８】尚、フイルムはオンラインモダリティによっても作成できるが、この場合、フイルムはデジタイズする必要がない。従って、このフイルムが画像が入力されたときには、デジタイザまたはデータベースが同画像を無視する。（図６）
ワークステーション１４
ワークステーション１４は上述したように読影準備、ルーチン読影及び依頼科参照の機能を果たすが、これらの機能を順次説明する。
【００２９】読影準備
検査依頼書がワークステーションに持参される。ワークステーションの読影準備ボタンが押される。このとき、ワークステーションは読影準備状態になる。次に、検査依頼書に添付された検査ＩＤ（バーコード）がバーコードリーダにより読み取られ、この検査ＩＤはデータベース１３に送られ、患者ＩＤを要求する。データベース１３から患者ＩＤを受け取ると、患者ＩＤと検査ＩＤが並べて表示される。患者ＩＤと検査ＩＤの一致が確認されると、一致した患者ＩＤと検査ＩＤは対応表に記憶され、次の検査依頼書に対するＩＤの照合が上記と同様にして行なわれる。この様にして、全ての検査依頼書に対して処理がなされ、一致した患者ＩＤと検査ＩＤが順次対応表に記憶される。尚、患者ＩＤと検査ＩＤが一致しないと、再度、検査依頼書の検査ＩＤが読み取られ、同じ処理が繰り返される。
【００３０】ＩＤの照合が確認されると、確認が終了した患者から読影準備が次のように開始される。即ち、患者ＩＤと検査ＩＤの対応表から患者ＩＤが取り出される。この患者ＩＤによってこの患者の検査リスト、レポート及び画像がデータベースに要求される。データベース１３から検査リスト、レポート及び画像が送られると、これら情報はメモリ（磁気ディスク）４１、４２、４４に記憶される。その後、次の患者の患者ＩＤが対応表から読み出され、同様な処理が行なわれ、次の患者の検査リスト、レポート及び画像が磁気ディスクに記憶される。全ての患者についての情報が磁気ディスクに記憶されると、読影準備が完了する。
【００３１】尚、この読影準備において、磁気ディスクに記憶されている各患者データのうち、最新の検査日が３日前である患者データは全て消去され、患者ＩＤおよび検査ＩＤが対応表から消去される。（図７）。
【００３２】ルーチン読影（図８）
検査依頼書に張り付けられた検査ＩＤがバーコードリーダによって読み取られることにより入力される。この入力された検査ＩＤによって患者ＩＤが対応表から検索される。検索された患者ＩＤに対応する検査リスト、検査ＩＤ、検査日、モダリティ、部位、読影結果、患者ＩＤを磁気ディスクから読み出し、表示する。表示された情報から最新の検査と前回の検査を自動的に選択する。選択した最新及び前回検査の画像ＩＤ及び画像データを磁気ディスクから抽出し、抽出された画像データにデータ伸長処理を施し、表示する。この時、検査日も表示する。表示された画像の画像ＩＤ、検査ＩＤ及びこれら情報を表示しているディスプレイの番号を記憶する。次に、前回の検査のレポートを磁気ディスクから読み出し、表示する。
【００３３】上記のステップにより表示された画像になんらかの処理、例えば移動、消去、拡大、階調処理、ＣＡＤ、オーバーレイ記入／表示等の処理を施す場合には下記のように行なわれる。
【００３４】処理したい画像を表示するディスプレイを指定する。この時、指定されたディスプレイは、このディスプレイに表示される画像の検査ＩＤ及び患者ＩＤを全て表示する。表示されたＩＤから必要とする検査ＩＤまたは患者ＩＤを捜し、それを指定する。これにより、指定されたＩＤに対応する画像が磁気ディスクから読み出され、表示される。次に、表示された画像に施すべき上述した処理の内容を指定する。これにより、指定された画像に指定された内容の処理が施される。
【００３５】処理内容がオーバーレイ記入の場合には、記入されたオーバーレイが表示されるとともにオーバーレイデータが記憶される。
【００３６】このオーバーレイ記入には、マトリックスに配列された複数の感圧画素を有するタッチパネルが使用される。このタッチパネルは例えばＣＰＵに接続され、タッチパネルがタッチペンでタッチされたときと指でタッチされたときとのタッチ面積の違い、即ち感圧素子数の違いからＣＰＵはタッチパネルがタッチペンでタッチされたか指でタッチされたかを区別する。タッチペンで入力された場合には、ＣＰＵはタッチペンによる入力情報をオーバーレイ情報と判断し、これに対して指で入力された入力情報はコマンド情報であると判断する。この判断に基づきオーバーレイ情報は画像に重ねて表示され、コマンド情報は画像に所定の処理を施すために使用される。
【００３７】コマンドにより指定された処理が施された後に、その画像の表示位置が決定され、画像がディスプレイの決められた位置に表示される。このとき、画像ＩＤ、検査ＩＤ及びディスプレイ番号を含む対応表が更新される。また、このとき、処理画像を登録するか否か判断される。登録する場合には、登録ボタンが押される。これにより、新しい画像ＩＤが発行される。次に、データベースに処理画像登録要求がなされる。データベースは登録要求に応じて処理画像を所定の登録方法に従って登録する。尚、登録しない場合は、何等の動作も行なわれない。
【００３８】上記のようにして表示され、または所定の処理された画像を医師が観察し、即ち読影して、所見をデクタフォンにマイクを使用して入力する。これにより、読影が終了する。
【００３９】レポート入力
この機能は検査ＩＤおよびレポートを入力し、その後、終了入力を指定することにより、検査ＩＤおよびレポートをデータベースに送り、検査ＩＤ、レポートをプリントする機能である。
【００４０】このレポート入力を実行するとき、依頼書の検査ＩＤと対応づけてボイスレポートを聞きながら検査ＩＤとレポートとを入力する。入力された情報は読み取られ、制御回路５２に内蔵されたメモリに保存される。この時、入力情報はディスプレイに表示されるので、表示された情報が間違っていれば、訂正され、再びメモリに保存される。表示情報が正しければ、終了が指示される。このとき、検査ＩＤとレポートが対応づけられてデータベースへ送られる。同時に、検査ＩＤとレポートが依頼書にプリントされる。
【００４１】依頼科参照
この機能はルーチン読影機能と実質的に同じである。即ち、患者ＩＤがバーコードリーダ、キーボードまたはＯＣＲ等を用いて入力される。この入力患者ＩＤが対応表から検索される。対応表に患者ＩＤがあれば、この患者ＩＤの患者に関する情報、即ち検査ＩＤ、検査日、モダリティ、部位、読影結果、患者ＩＤを対応表から抽出し、表示する。表示された情報から最新の検査と前回の検査を選択する。選択した最新及び前回検査の画像ＩＤ及び画像データを磁気ディスクから抽出し、抽出された圧縮画像データにデータ伸長処理を施し、表示する。この時、検査日も表示する。表示された画像の画像ＩＤ、検査ＩＤ及びこれら情報を表示しているディスプレイの番号を記憶する。次に、最新及び前回の検査のレポートを磁気ディスクから読み出し、表示する。この時、磁気ディスクに最新の検査レポートが記録されていなければ、前回のレポートだけが表示される。
【００４２】患者ＩＤの検索において入力患者ＩＤに対応する患者ＩＤが対応表になければ、データベースに記憶された患者情報からその患者が受けた検査の全ての検査ＩＤを検索する。検索された患者の全ての検査ＩＤに関する画像、レポート及び検査リストがデータベースで検索され、それら情報がワークステーションに転送され、記憶される。また、このとき、全ての検査について、データベースから検査ＩＤ、検査日、モダリティ、部位、読影結果、患者ＩＤを抽出し、表示する。表示された情報から最新の検査と前回の検査を選択する。選択した最新及び前回検査の画像ＩＤ及び画像データを磁気ディスクから抽出し、抽出された画像データにデータ伸長処理を施し、表示する。この時、検査日も表示する。表示された画像の画像ＩＤ、検査ＩＤ及びこれら情報を表示しているディスプレイの番号を記憶する。次に、最新及び前回の検査のレポートを磁気ディスクから読み出し、表示する。この時、磁気ディスクに最新の検査レポートが記録されていなければ、前回のレポートだけが表示される。
【００４３】上記のステップにより表示された画像になんらかの処理、例えば移動、消去、拡大、階調処理、ＣＡＤ、オーバーレイ記入／表示等の処理を施す場合には下記のように行なわれる。例えば、所望の画像にオーバーレイ記入のための処理を行う場合には次のように行われる。（図９）。
【００４４】この処理のためには、診断部位の関心領域にそれぞれ対応する画像処理パラメータまたはオーバーレイ記入のためのデータ等を記憶したメモリおよび関心領域を指定するための入力部材が設けられる。入力部材としては関心領域に対応して設けられる押し釦またはタッチパネルあるいはディスプレイに表示されたメニューを指定するマウス等が用いられる。このような装置において、先ず、処理したい画像を表示するディスプレイを指定する。この時、指定されたディスプレイは、このディスプレイに表示される画像の検査ＩＤ及び患者ＩＤを全て表示する。表示されたＩＤから必要とする検査ＩＤまたは患者ＩＤを捜し、それを指定する。これにより、指定されたＩＤに対応する画像が磁気ディスクから読み出され、表示される。次に、入力部材により関心領域が指定される。この後、指定され、表示された関心領域の画像に施すべき処理内容を指定する。これにより、指定された画像に施すべき処理に対応する処理パラメータがメモリから読み出され、この処理パラメータによって画像に処理が施される。
【００４５】処理内容がオーバーレイ記入の場合には、上述したオーバーレイ処理に従って記入されたオーバーレイが表示されるとともにオーバーレイデータが記憶される。
【００４６】表示された画像に基づいて関心領域の所定部分のサイズを測定する場合には次のような処理が行われる。
【００４７】関心領域が表示されているディスプレイ画面に設けられたタッチパネルの表面の任意の２点、例えばＡ点およびＢ点がオペレータによってタッチされると、ＡおよびＢ点のＸ，Ｙ座標データがタッチパネルに接続されたコントローラからＣＰＵに順次出力される。ＣＰＵは別々に入力されるＡおよびＢ点のＸ，Ｙ座標データを予め格納されているプログラムに従って解析し、２つのＸ，Ｙ座標データが別々の位置を示していると認識し、入力された座標データを計測コマンドと判断する。この判断に従ってＣＰＵはＡ点およびＢ点を結ぶスケールのパターンをディスプレイに表示する。表示されたスケールにより２点間の距離が測定できる。
【００４８】タッチ位置、例えばＡ点を移動させると、この移動にともなってＡ点のＸ，Ｙ座標データが更新され、ＣＰＵに入力される。このとき、ＣＰＵはＡ点の移動に追従するようにスケールを移動させる。このように最初に表示されたスケールを基準としてタッチ位置が移動されるに従ってスケールが移動され、移動に従ってスケール情報は書き換えられる。
【００４９】画像に上記のような指定の処理が施され、その画像の表示位置が決定され、画像がディスプレイの決められた位置に表示されると、画像ＩＤ、検査ＩＤ及びディスプレイ番号を含む対応表が更新される。また、このとき、処理画像を登録するか否かが判断される。登録する場合には、登録ボタンが押される。これにより、新しい画像ＩＤが発行される。次に、データベースに処理画像登録要求がなされる。データベースは登録要求に応じて処理画像を所定の登録方法に従って登録する。尚、登録しない場合は、何等の動作も行なわれない。
【００５０】データベース
このデータベースにおいては、全てのリストはＩＣメモリ３８に記憶される。画像データ、オーバーレイデータ及びレポートデータはハードディスク３１に記憶される。モダリティ１１及びディジタイザ１２から入力される画像データは可逆圧縮され、ハードディスク３１に書き込まれる。ハードディスクは二重に設けられているが、一方はバックアップ用である。
【００５１】ハードディスクが一杯になり、新しいデータが書き込めなくなれば、ハードディスクの中から古い検査日のデータが読み出され、光ディスク３２に書き込まれ、この古いデータはハードディスクから消去される。このとき、画像データは非可逆圧縮されて光ディスク３２に書き込まれてもよい。光ディスクが一杯になると、古いデータはリモートデータベースの光ディスク６１に書き込まれてもよく、または、データベース１３の光ディスクがリモートデータベースの光ディスクと交換されてもよい。
【００５２】尚、データベースのメモリに情報が書き込まれる場合、３種類のデータの存在場所が変わるたびにＩＣメモリのリストのアドレスが変更される。また、検索の場合には、専用に設けられた検索回路３９により行なわれる。」
　
（エ）
「【００６８】オーバーレイデータ及び処理画像の登録
読影された保存すべき処理画像及びオーバーレイデータが登録要求コマンドとともにワークステーションから送られるが、この場合、オーバーレイデータは画像ＩＤとオーバーレイデータを含み、処理画像は検査ＩＤ、画像ＩＤ、画像データを含む。
【００６９】オーバーレイデータが送られてきた場合、このオーバーレイデータをハードディスクに書き込み、（画像ＩＤ、オーバーレイアドレス）リストに新しいタップルを追加する。処理画像が送られてきた場合は、画像データをハードディスクに書き込み、（検査ＩＤ、画像ＩＤ、画像データアドレス）リストに新しいタップルを書き込む。」（ここで、公報では、「処理画像が送られてきた場合は、画像デーをハードディスクに書き込み」と記載されているが、「画像デー」は、「画像データ」の明らかな誤記と認められるので、上記のように認定した。）
　
（オ）
「【００８８】階調処理
図２２に示すように画面の上段に表示された階調増／減スイッチの△印をタッチすると、階調が増加し、▽印をタッチすると、階調が減少する。このとき、増減目盛りがタッチの間、移動する。」
　
　引用例１の上記記載から、引用例１には以下の事項が開示されていると認められる。
　
（ａ）引用例１の上記（ア）の「この発明は、病院での診断において発生する画像情報及び診断情報などを保管及び伝送する医用情報システムに関する。」という記載から、引用例１は、病院での診断において発生する画像情報及び診断情報などを保管する医用情報システムが開示されていると認められる。
　
（ｂ）引用例１の上記（ウ）の「検査画像１〜ｎが採取されると、モダリティは画像毎に画像ＩＤを発行する。検査が終了すると、検査技師は検査終了コマンドを入力する。検査終了コマンドが入力されると、その検査の付帯情報と、その検査により採取された全画像とそれぞれの画像ＩＤとを組み合わせたデータをデータベース１３に転送する。」（段落００２４）、「このデータベースにおいては、全てのリストはＩＣメモリ３８に記憶される。画像データ、オーバーレイデータ及びレポートデータはハードディスク３１に記憶される。モダリティ１１及びディジタイザ１２から入力される画像データは可逆圧縮され、ハードディスク３１に書き込まれる。」（段落００５０）という記載から、引用例１記載の医用情報システムのデータベースは、検査画像データを記憶するハードディスクを備えているものと認められる。
　
（ｃ）上記（イ）の「検査依頼書は読影ワークステーションに送られる。ここで、撮影準備のために、依頼書の検査ＩＤを入力し、この検査ＩＤをもとに、その検査の画像及びその患者の過去の画像をデータバンクから転送する。医師が読影を行うときは、検査ＩＤを入力し、対応する画像情報がワークステーション内のメモリから読み出され、画像として表示される。医師は、画像を見てレポートを作成する。例えば、音声によりボイスレポートを作成する。このボイスレポートは、トランスクライバによりタイプされる。タイプされた情報はデータベースに転送され、保管されるとともに検査依頼書にプリントされる。
【００１３】上記のようにして検査ＩＤ、画像及び所見がデータベースに保存される。このデータベースに保存された情報は依頼科の要求に応じて依頼科に送られる。即ち、依頼科がカルテに記載された検査ＩＤを入力すると、データベースから対応する患者の画像情報及びレポート情報が送られる。」という記載、引用例１の上記（ウ）の「【００３２】ルーチン読影（図８）
検査依頼書に張り付けられた検査ＩＤがバーコードリーダによって読み取られることにより入力される。この入力された検査ＩＤによって患者ＩＤが対応表から検索される。検索された患者ＩＤに対応する検査リスト、検査ＩＤ、検査日、モダリティ、部位、読影結果、患者ＩＤを磁気ディスクから読み出し、表示する。表示された情報から最新の検査と前回の検査を自動的に選択する。選択した最新及び前回検査の画像ＩＤ及び画像データを磁気ディスクから抽出し、抽出された画像データにデータ伸長処理を施し、表示する。この時、検査日も表示する。表示された画像の画像ＩＤ、検査ＩＤ及びこれら情報を表示しているディスプレイの番号を記憶する。次に、前回の検査のレポートを磁気ディスクから読み出し、表示する。
【００３３】上記のステップにより表示された画像になんらかの処理、例えば移動、消去、拡大、階調処理、ＣＡＤ、オーバーレイ記入／表示等の処理を施す場合には下記のように行なわれる。
【００３４】処理したい画像を表示するディスプレイを指定する。この時、指定されたディスプレイは、このディスプレイに表示される画像の検査ＩＤ及び患者ＩＤを全て表示する。表示されたＩＤから必要とする検査ＩＤまたは患者ＩＤを捜し、それを指定する。これにより、指定されたＩＤに対応する画像が磁気ディスクから読み出され、表示される。次に、表示された画像に施すべき上述した処理の内容を指定する。これにより、指定された画像に指定された内容の処理が施される。
（中略）
【００３７】コマンドにより指定された処理が施された後に、その画像の表示位置が決定され、画像がディスプレイの決められた位置に表示される。このとき、画像ＩＤ、検査ＩＤ及びディスプレイ番号を含む対応表が更新される。また、このとき、処理画像を登録するか否か判断される。登録する場合には、登録ボタンが押される。これにより、新しい画像ＩＤが発行される。次に、データベースに処理画像登録要求がなされる。データベースは登録要求に応じて処理画像を所定の登録方法に従って登録する。尚、登録しない場合は、何等の動作も行なわれない。
【００３８】上記のようにして表示され、または所定の処理された画像を医師が観察し、即ち読影して、所見をデクタフォンにマイクを使用して入力する。これにより、読影が終了する。」という記載、上記（エ）の「【００６８】オーバーレイデータ及び処理画像の登録
読影された保存すべき処理画像及びオーバーレイデータが登録要求コマンドとともにワークステーションから送られるが、この場合、オーバーレイデータは画像ＩＤとオーバーレイデータを含み、処理画像は検査ＩＤ、画像ＩＤ、画像データを含む。
【００６９】オーバーレイデータが送られてきた場合、このオーバーレイデータをハードディスクに書き込み、（画像ＩＤ、オーバーレイアドレス）リストに新しいタップルを追加する。処理画像が送られてきた場合は、画像データをハードディスクに書き込み、（検査ＩＤ、画像ＩＤ、画像データアドレス）リストに新しいタップルを書き込む。」という記載、及び、上記（オ）の「【００８８】階調処理
図２２に示すように画面の上段に表示された階調増／減スイッチの△印をタッチすると、階調が増加し、▽印をタッチすると、階調が減少する。このとき、増減目盛りがタッチの間、移動する。」という記載から、引用例１記載の医用情報システムは、検査画像の中から読影の際に指定した検査画像の階調を増加あるいは減少させる階調処理等の処理を施した処理画像データをデータベースのハードディスクに記録すると共に、所見を音声により入力したボイスレポートをタイプした情報をデータベースのハードディスクに記録しているものと認められる。
　
（ｄ）引用例１の上記（ア）の「【０００８】この発明によると、各患者の画像情報を電子化して保存する記憶手段と、各患者の画像情報とこの画像情報に関する情報とを関連付けてこれら情報を前記記憶手段に保存する手段とを含む医用情報システムが提供される。」という記載、上記（イ）の「検査ＩＤ、画像及び所見がデータベースに保存される。」という記載、上記（ウ）の「【００３７】コマンドにより指定された処理が施された後に、その画像の表示位置が決定され、画像がディスプレイの決められた位置に表示される。このとき、画像ＩＤ、検査ＩＤ及びディスプレイ番号を含む対応表が更新される。また、このとき、処理画像を登録するか否か判断される。登録する場合には、登録ボタンが押される。これにより、新しい画像ＩＤが発行される。次に、データベースに処理画像登録要求がなされる。データベースは登録要求に応じて処理画像を所定の登録方法に従って登録する。（中略）【００４１】依頼科参照
この機能はルーチン読影機能と実質的に同じである。即ち、患者ＩＤがバーコードリーダ、キーボードまたはＯＣＲ等を用いて入力される。この入力患者ＩＤが対応表から検索される。対応表に患者ＩＤがあれば、この患者ＩＤの患者に関する情報、即ち検査ＩＤ、検査日、モダリティ、部位、読影結果、患者ＩＤを対応表から抽出し、表示する。表示された情報から最新の検査と前回の検査を選択する。選択した最新及び前回検査の画像ＩＤ及び画像データを磁気ディスクから抽出し、抽出された圧縮画像データにデータ伸長処理を施し、表示する。この時、検査日も表示する。表示された画像の画像ＩＤ、検査ＩＤ及びこれら情報を表示しているディスプレイの番号を記憶する。次に、最新及び前回の検査のレポートを磁気ディスクから読み出し、表示する。この時、磁気ディスクに最新の検査レポートが記録されていなければ、前回のレポートだけが表示される。
【００４２】患者ＩＤの検索において入力患者ＩＤに対応する患者ＩＤが対応表になければ、データベースに記憶された患者情報からその患者が受けた検査の全ての検査ＩＤを検索する。検索された患者の全ての検査ＩＤに関する画像、レポート及び検査リストがデータベースで検索され、それら情報がワークステーションに転送され、記憶される。また、このとき、全ての検査について、データベースから検査ＩＤ、検査日、モダリティ、部位、読影結果、患者ＩＤを抽出し、表示する。表示された情報から最新の検査と前回の検査を選択する。選択した最新及び前回検査の画像ＩＤ及び画像データを磁気ディスクから抽出し、抽出された画像データにデータ伸長処理を施し、表示する。この時、検査日も表示する。表示された画像の画像ＩＤ、検査ＩＤ及びこれら情報を表示しているディスプレイの番号を記憶する。次に、最新及び前回の検査のレポートを磁気ディスクから読み出し、表示する。（中略）【００５０】データベース
このデータベースにおいては、全てのリストはＩＣメモリ３８に記憶される。画像データ、オーバーレイデータ及びレポートデータはハードディスク３１に記憶される。」という記載、および、上記（エ）の「処理画像が送られてきた場合は、画像データをハードディスクに書き込み、（検査ＩＤ、画像ＩＤ、画像データアドレス）リストに新しいタップルを書き込む。」という記載から、引用例１記載の医用情報システムは、検査画像データと、処理画像データと、所見データとを検査ＩＤを介して相互に関連づけるリストを検索可能にＩＣメモリに記憶したデータベースを備えているものと認められる。　
　したがって、引用例１には次の発明（以下、「引用例１発明」という。）が開示されている。
　
「病院での診断において発生する画像情報及び診断情報などを保管する医用情報システムであって、
検査画像データと、検査画像の中から読影の際に指定した検査画像の階調を増加あるいは減少させる階調処理等の処理を施した処理画像データと、所見を音声により入力したボイスレポートをタイプした情報とを記憶するハードディスクと、
検査画像データと、処理画像データと、所見データとを検査ＩＤを介して相互に関連づけるリストを記憶したＩＣメモリとを
備え、検査ＩＤにより検査画像データと、処理画像データと、所見データとを検索可能としたデータベースを備えた医用情報システム。」
　
４．対比
　そこで、本願発明と引用例１発明とを対比する。
　
（Ａ）引用例１発明の「医用情報システム」と、本願発明の「医用データ管理システム」とは、検査画像すなわち医用画像データを記憶管理している点で共通しているから、引用例１発明も、本願発明と同様に、医用データ管理システムであるといえる。
　
（Ｂ）引用例１発明の「検査画像データ」は、本願発明の「第１の医用画像を表わす所定の第１のデータ形式の第１の画像データ」に、相当し、引用例１発明の「ハードディスク」は「データ格納手段」に他ならないから、引用例１発明の医用データ管理システムも、本願発明と同様に、第１の医用画像を表わす所定の第１のデータ形式の第１の画像データを格納する手段を備えているといえる。
　
（Ｃ）引用例１発明の「検査画像の中から読影の際に指定した検査画像の階調を増加あるいは減少させる階調処理等の処理を施した処理画像データ」は、検査画像の中から選択して階調を変化させた画像データであり、元の検査画像データとは異なるデータ形式の画像データであるといえるから、本願発明の「第１の医用画像の中から選択された第２の医用画像を表わす所定の第２のデータ形式の第２の画像データ」に相当する。
　また、引用例１発明の「所見を音声により入力したボイスレポートをタイプした情報」は、読影の際に指定して階調処理した処理画像に基づく所見情報であるから、本願発明の「第２の医用画像に関連する情報が記録ないし録音された所見データ」に相当する。
　そして、引用例１発明の医用データ管理システムでは、これら２つのデータを記憶するハードディスクを備えているから、引用例１発明の医用データ管理システムも、本願発明と同様に、第１の医用画像の中から選択された第２の医用画像を表わす所定の第２のデータ形式の第２の画像データと、前記第２の医用画像に関連する情報が記録された所見データとを格納する手段を備えているといえる。
　ただし、本願発明では、レポート情報が第１の医用画像の中から選択された第２の医用画像を表わす所定の第２のデータ形式の第２の画像データと、前記第２の医用画像に関連する情報が記録ないし録音された所見データとを含むものであるのに対し、引用例１発明では、第１の医用画像の中から選択された第２の医用画像を表わす所定の第２のデータ形式の第２の画像データと、前記第２の医用画像に関連する情報が記録ないし録音された所見データとは、別々のデータとして取り扱っている点、及び、本願発明では、レポート情報を構成する第２の画像データと所見データを格納する手段と、第１の画像データを格納する手段とは、異なるデータ格納手段であるのに対し、引用例１発明では、第２の画像データと所見データを格納する手段と、第１の画像データを格納する手段が同じデータ格納手段である点で相違している。
　
（Ｄ）引用例１発明のデータベースは、「検査画像データと、処理画像データと、所見データとを検査ＩＤを介して相互に関連づけるリストを記憶したＩＣメモリ」を備えて、「検査ＩＤにより検査画像データと、処理画像データと、所見データとを検索可能とし」ているから、本願発明の「第１の画像データと、前記レポート情報とを相互に関連づけて管理するデータ管理手段」に相当する。
　　
　したがって、両者は、
　「第１の医用画像を表わす所定の第１のデータ形式の第１の画像データを格納する手段と、
第１の医用画像の中から選択された第２の医用画像を表わす所定の第２のデータ形式の第２の画像データと、前記第２の医用画像に関連する情報が記録された所見データとを格納する手段と、
第１の画像データと、第２の画像データ、所見データとを相互に関連づけて管理するデータ管理手段とを備えた医用データ管理システム。」
で一致し、以下の点で相違する。
　
（相違点１）
　本願発明では、レポート情報が第１の医用画像の中から選択された第２の医用画像を表わす所定の第２のデータ形式の第２の画像データと、前記第２の医用画像に関連する情報が記録ないし録音された所見データとを含むものであるのに対し、引用例１発明では、第１の医用画像の中から選択された第２の医用画像を表わす所定の第２のデータ形式の第２の画像データと、前記第２の医用画像に関連する情報が記録ないし録音された所見データとは、別々のデータとして取り扱っている点。
　
（相違点２）
　本願発明では、レポート情報を構成する第２の画像データと所見データを格納する手段と、第１の画像データを格納する手段とは、異なるデータ格納手段であるのに対し、引用例１発明では、第２の画像データと所見データを格納する手段と、第１の画像データを格納する手段が同じデータ格納手段である点。
　
５．当審の判断
　
（相違点１について）
　データベースシステムのようなデータを管理するデータ管理システムの技術分野において、複数のデータをまとめて管理することも、互いに関連づけられた別々のデータとして管理することも、必要に応じて適宜行われていることに過ぎず、複数のデータをまとめて管理するか、互いに関連づけられた別々のデータとして管理するかは、当業者が適宜選択すべき設計的事項に過ぎないから、引用例１発明において、第１の医用画像の中から選択された第２の医用画像を表わす所定の第２のデータ形式の第２の画像データと、前記第２の医用画像に関連する情報が記録ないし録音された所見データとをまとめてレポート情報として取り扱う構成とすることは、当業者が容易に想到し得たものである。
　
（相違点２について）
　データベースシステムのようなデータを管理するデータ管理システムの技術分野において、複数のデータを１つのデータ格納手段にまとめて格納することも、別々のデータ格納手段にそれぞれ格納することも、必要に応じて適宜行われていることに過ぎず、複数のデータを１つのデータ格納手段にまとめて格納するか、別々のデータ格納手段にそれぞれ格納するか、当業者が適宜選択すべき設計的事項に過ぎないから、引用例１発明において、レポート情報を構成する第２の画像データと所見データを格納する手段と、第１の画像データを格納する手段とを、異なるデータ格納手段とする構成を採用することは、当業者が容易に想到し得たものである。
　
　また、本願発明の効果についてみても、引用例１発明において、当然に予測される程度のものに過ぎず、格別顕著なものがあるとは認められない。
　
　なお、審判請求人は、審判請求の理由において、「引用文献１（特開平５−３２４７８５号公報）には、検査で発生したフィルムや撮影装置（モダリティ）から発生した全ての検査画像をハードディスク等の保存媒体に保存し、かつ検索用のキー情報をデータベースとして管理し、所見情報と全ての検査画像を患者ＩＤ及び検査ＩＤをキーとする管理情報で関連付けて保存する医用情報システムが開示されております。
　また引用文献２（特開平５−４６７１６号公報）には、活用頻度の高い画像と活用頻度の低くなった画像を圧縮形式を変えて、かつ格納場所を圧縮形式や用途に応じて格納する画像蓄積検索装置です。
　これらに対し、本願発明は、レポートの参照時に必要最低限の医用画像を添付することで、データのアクセス効率を考慮した医用データ管理システムを実現することを目的とするものであります。即ち、従来は、例えば１ピクセルあたり１０〜１２ビットで構成されているような詳細な画像データと所見を関連付けて格納していた（引用文献１もこれに相当します）ため、この画像データを表示するための処理に時間がかかっていました。しかし、画像を観察することを目的とせず、単にレポートを参照する際には、そこまでの詳細な画像データは必要とせず、例えば１ピクセルあたり８ビットの粗い画像を表示する程度で事足ります。そこで、本願発明は、この点に注目し、例えば本願の図５および段落［００３１］〜［００３３］に示すとおり、一つの検査に対してレポートとイメージとの二つのディレクトリに分けた点に特徴があります。つまり、詳細な画像データとは別に、レポート情報として、所見データ及びキーイメージを格納することで、レポート参照時のレスポンス効率を高めることを可能にするものであります。このような情報格納形態及び効果については、引用文献１、２のいずれにも記載も示唆も存在いたしません。
　したがいまして、引用文献１と引用文献２とを如何に組み合わせてみても本願発明が想到されることにはならないものと考えます。」と主張している。
　しかし、請求人の主張は、第２のデータ形式の第２の画像データが第１のデータ形式の第１の画像データに比べて粗い画像を表示するために画像のデータ量を少なくした画像データであることを前提としたものであるのに対し、請求項の記載では、単に選択され、データ形式が異なることを示唆するものに過ぎないから、この主張は、請求項の記載に基づいたものでない。また、仮に、請求項の記載が粗い画像であったとしても、レポートを参照する程度の場合、画像のデータ量を少なくした粗い画像とすることは慣用手段に過ぎないことから、格別のこととはいえない。
　したがって、請求人の主張は採用することができない。
　
６．むすび
　以上のとおりであるから、本願発明は、引用例１に記載された発明に基づいて当業者が容易に発明をすることができたものであり、特許法第２９条第２項の規定により特許を受けることができない。
　したがって、本願は、その余の請求項について特に論及するまでもなく、拒絶されるべきものである。
　よって、結論のとおり審決する。